(57)【要約】【課題】第１の問題点は、専用ソフトウェアをその監視対象ごとに製作する必要がある。第２の問題点は、遠隔通信路、通信ソフトウェア、遠隔表示ソフトウェアを準備する必要がある。【解決手段】監視・モニタ対象の機器から、独自性のない標準のメール形式にて接続するネットワーク内のメールサーバを介してメール送信することにより、局所的なネットワーク内のメール端末または地球規模のネットワーク内のメール端末に監視情報、モニタ情報を配信するようにしたことを特徴とするインターネットを介した監視モニタ・制御システム。【選択図】　　　　　図１
2004056534.tif 000002
【特許請求の範囲】
【請求項１】
監視・モニタ対象の機器から、独自性のない標準のメール形式にて接続するネットワーク内のメールサーバを介してメール送信することにより、局所的なネットワーク内のメール端末または地球規模のネットワーク内のメール端末に監視情報、モニタ情報を配信するようにしたことを特徴とするインターネットを介した監視モニタ・制御システム。
【請求項２】
制御対象の機器に、メールクライアント機能を搭載し制御メッセージを受信解釈して指示を与えるようにしたことを特徴とするインターネットを介した監視モニタ・制御システム。
【請求項３】
メールのもつ安価性、非同期性、複数配信、データの再利用性を利用できるようにしたことを特徴とするインターネットを介した監視モニタ・制御システム。
【発明の詳細な説明】
【発明の属する技術分野】
この発明は、監視制御・モニタ対象に、メール送受信部、メール作成／解釈部、メール送受信部、ネットワーク接続機構、を搭載することにより、イントラネット、インターネット上のメール配信の仕組みを利用して監視制御・モニタを実現できる方式を提供するものである。
【従来の技術】
従来の、遠隔監視システムは特開２００２−１３３５５６にあるような、特定の管理センターに情報を集中して再通知する仕組みがあった。この方式の問題点は、通信網、管理センター、データベースなどの設備、資源の準備コストが大きいことである。
また、特表２００２−５０７８０７にあるような、デジタル携帯電話網を利用するようなシステムは、携帯電話会社に対する通信コストや携帯電話の通信範囲の問題がある。また、ローカルな伝達範囲においても、外部のインフラを利用しなければならないという問題があった。
【発明が解決しようとする課題】
すなわち、従来の監視制御・モニタシステムは、コンピュータが扱うデータ形式で監視対象から情報を読出し、専用ソフトウェアをもちいてそれらを処理して表示するという構造である。
また遠隔でそれを閲覧する専用ソフトウェア、専用線や電話線を用いた回線の確保および遠隔データ通信のソフトウェアも準備する必要がある。
しかしながら、このような従来技術には、次のような問題点があった。
第１の問題点は、専用ソフトウェアをその監視対象ごとに製作する必要がある。第２の問題点は、遠隔通信路、通信ソフトウェア、遠隔表示ソフトウェアを準備する必要がある。
【課題を解決するための手段】
この発明のインターネットを介した監視モニタ・制御システムは、監視・モニタ対象の機器から、独自性のない標準のメール形式にて接続するネットワーク内のメールサーバを介してメール送信することにより局所的なネットワーク内のメール端末または、地球規模のネットワーク内のメール端末に監視情報、モニタ情報を配信するようにしたことを特徴とするものである。
また、この発明のインターネットを介した監視モニタ・制御システムは、制御対象の機器に、メールクライアント機能を搭載し制御メッセージを受信解釈して指示を与えるようにしたことを特徴とするものである。
この発明のインターネットを介した監視モニタ・制御システムは、メールのもつ安価性、非同期性、複数配信、データの再利用性を利用できることを特徴とするものである。
【発明の実施の形態】
図１に構成の概要を示す。監視制御・モニタ対象とのデータ送受信部とデータ内容によりメールを作成するメール作成部、メールの内容から制御データを作成するメール解釈部、作成したメールを標準のメールプロトコルにて転送するメール送信部、標準のメールクライアントしてメールを受信するメール受信部および、ネットワーク接続部からなるメールアダプタと、インターネット・イントラネット上のメールサーバ、メール端末にあたるメールクライアントから構成される。
この発明は、監視制御・モニタ対象に、メールアダプタを搭載することにより既存の、メールサーバやメールクライアントを利用して監視情報・モニタ情報を見ることが可能となる。またメールクライアント機能を搭載し制御情報を入力することが可能となる。
【実施例１】
図２において、監視モニタ対象である車は、ガソリン量、オイル、タイヤ磨耗などのパラメータをもつ。メールアダプタはこれらの情報を、受け取るデータ受信部、受信データから適切な文書に変換するメール作成部、作成したメールを転送するメール転送プログラム、ネットワーク接続のためのＴＣＰ／ＩＰドライバとダイヤルアップアダプタからなる。
メール転送プログラムは、標準的に使われるプログラムの１つであるＳＭＴＰが想定される。
図５において、制御対象である車は、ドアロック、ライト消灯などの制御パラメタをもつ。メールアダプタはこれらの制御のためのメールを受け取るためのＴＣＰ／ＩＰドライバとダイヤルアップアダプタ、メール受信プログラム、および、受信メールの内容から制御情報に変換するメール解釈部、車に制御コマンドを送るコマンド送信部からなる。
メール受信プログラムは、標準的に使われるプログラムの１つであるＰＯＰクライアントが想定される。
図４に図２に対応する実施例の動作フロー図を示す。監視・モニタ対象である車から「オイル汚れ」という事象が発生したとする。事象を検出後、メールアダプタ内のデータ受信部はその情報を受け取り、メール作成部へわたす。メール作成部はその情報を元に、文書、宛先データを選択してメールを作成し、メール転送プログラムへわたす。
メール転送プログラムは、メールヘッダを付与してネットワーク接続部にインターネット接続を依頼する。接続後、メールサーバに対して図３のメールを送信する。オフィスのＰＣや、携帯電話、メンテメーカなどのメールクライアントがメールサーバに対してメール受信を行い、車のオイル汚れという情報を閲覧できる。
図７に図５に対応する実施例の動作フロー図を示す。
制御対象である車に「ドアロック解除」という制御をかけるものとする。携帯端末などのメールクライアントから、図６のようなメールを作成し、メールサーバに送信する。メール受信プログラムは、ダイアルアップ接続などでインターネットサーバに接続し、メールサーバから定期受信をはかり、当該メールを受信する。受信したメールは、メール解釈部にて制御コマンドデータに変換され、コマンド送信部から車へと情報がわたり、ドアロックは解除される。
【実施例２】
図８に住宅内にある家庭内ＬＡＮを用いた家電製品や設備の監視制御モニタの実施例を示す。
家電の情報を家庭内ＬＡＮを介してメールサーバにメール送信させ、メールクライアントで全ての状況について把握できる。インターネット接続すれば、家庭外からでもアクセス可能である。
【実施例３】
図９には、愛玩用の動物ロボットにメールアダプタを組み込んだ例を示す。動物ロボットは、音声、接触、充電、メール受信などの外部からの刺激を入力にして適宜、メールを送出する。既存のメールの仕組みを利用してインタラクティブな会話がシミュレートできる。
【発明の効果】
この発明のインターネットを介した監視モニタ・制御システムの第１の効果は、監視・モニタ対象の状態をメールという可視性の高い情報として利用者に到達できるということである。
その理由は、電気信号のような対象機器のもつ情報を自然言語に変換していること、および、内部でにメールプロトコルにことにのせることによりインターネットを伝達媒体として利用できるからである。
この発明のインターネットを介した監視モニタ・制御システムの第２の効果は、監視・モニタ対象の状態を、閲覧する仕組みとして、既存のメール転送インフラや、閲覧ソフト、携帯電話端末を活用できる事である。その理由は、インターネットは一般的にセキュリティ確保のため限られたプロトコルしか伝達しないが、ＳＭＴＰのような標準的なメールプロトコルはそれにあたるため既存のインターネット資源を利用できるからである。
この発明のインターネットを介した監視モニタ・制御システムの第３の効果は、制御対象する制御実行させる仕組みとして、既存のメール転送インフラやメール送信ソフト、携帯電話端末を活用できる事である。その理由は、インターネットは一般的にセキュリティ確保のため限られたプロトコルしか伝達しないが、ＳＭＴＰのような標準的なメールプロトコルはそれにあたるため既存のインターネット資源を利用できるからである。
この発明のインターネットを介した監視モニタ・制御システムの第４の効果は、複数の監視・制御・モニタの対象に対して、統一されたメール端末に情報を集中させる事ができることである。その理由は、メールという標準的な情報転送媒体をつかうことによる。
この発明のインターネットを介した監視モニタ・制御システムの第５の効果は、インタラクティブで、認識性のたかい利用者インタフェースが安価に、即時利用可能ということである。普及しているメーラ、携帯端末などを即時利用可能であることによる。
この発明のインターネットを介した監視モニタ・制御システムの要点を整理すると次の通りである。
（１）監視・制御・モニタ情報を即座に可視性の高い情報として利用者に到達させるために事象情報をメール化する方式を用いること。
（２）インターネット・イントラネット資源（ネットワークインフラ、メール転送インフラ、メールハンドリングシステム等）の活用のために、メール化する方式を用いること。
（３）管理対象の情報を即座に文書化してメール転送する事により、データ可読性が即座に向上すること。
【図面の簡単な説明】
【図１】この発明のインターネットを介した監視モニタ・制御システムの構成の概要を示す概略図である。
【図２】監視モニタ対象を車とした場合のこの発明のインターネットを介した監視モニタ・制御システムの構成の概要を示す概略図である。
【図３】メールの例を示す概略図である。
【図４】図２に対応する実施例の動作フロー図である。
【図５】監視モニタ対象を車とし、携帯端末で制御する場合のこの発明のインターネットを介した監視モニタ・制御システムの構成の概要を示す概略図である。
【図６】メールの例を示す概略図である。
【図７】図５に対応する実施例の動作フロー図である。
【図８】住宅内にある家庭内ＬＡＮを用いた家電製品や設備の監視制御モニタの実施例を示す概略図である。
【図９】愛玩用の動物ロボットにメールアダプタを組み込んだ例を示す概略図である。
【符号の説明】
【図１】
2004056534.tif 000003
【図２】
2004056534.tif 000004
【図３】
2004056534.tif 000005
【図４】
2004056534.tif 000006
【図５】
2004056534.tif 000007
【図６】
2004056534.tif 000008
【図７】
2004056534.tif 000009
【図８】
2004056534.tif 000010
【図９】
2004056534.tif 000011